(57)【要約】【課題】リアルタイム画像伝送とプレビューのシステム及び方法の提供。【解決手段】リアルタイム画像伝送とプレビューのシステム及び方法は、スキャナーと電子設備を包含し、スキャナーは所定形式で一方向に沿って複数回、線状走査方式で書類を走査する。スキャナーは予め該所定形式を電子設備に送り、その後、スキャナーが特定回数の線状走査を完成した後、対応する画像を電子設備に送る。電子設備は画像を受信した後、画像を修正して符合する所定形式とし、並びに所定形式で画像を表示する。これにより、本発明のリアルタイム画像伝送とプレビューのシステム及び方法は所定走査画像形式の下で、特定回数の線状走査を実行した後に走査画像を発生し、走査画像を設定走査画像形式によりリアルタイムで表示し、リアルタイム走査リアルタイムプレビューの機能を達成する。【選択図】図４
2012090178.tif 000002
【特許請求の範囲】
【請求項１】
リアルタイム画像伝送とプレビューのシステムにおいて、
スキャナーであって、一方向に複数回の線状走査を行う方式で書類を走査し並びに所定形式の画像となし、該所定形式を発送し、その後、特定回数の線状走査を完成した後に、対応する走査画像を発送する、上記スキャナーと、
電子設備であって、表示モジュールが設けられ、該電子設備は該所定形式を受信した後、該走査画像を修正し、該走査画像を所定形式に符合させ、該表示モジュールが該所定形式で該走査画像を表示する、上記電子設備と、
を包含したことを特徴とする、リアルタイム画像伝送とプレビューのシステム。
【請求項２】
請求項１記載のリアルタイム画像伝送とプレビューのシステムにおいて、
該スキャナーが所定形式を発送した後、続けて特定回数の線状走査を実行し、且つ続けて対応する走査画像を発送し、
該電子設備は所定形式を受信した後、続けて走査画像を受信し並びに受信順序により走査画像を合併し、該電子設備は該合併した走査画像を修正し、合併した走査画像を所定形式に符合させ、該表示モジュールは所定形式で合併した走査画像を表示することを特徴とする、リアルタイム画像伝送とプレビューのシステム。
【請求項３】
請求項２記載のリアルタイム画像伝送とプレビューのシステムにおいて、
該電子設備が所定形式を受信した後、メモリ空間を構築して該走査画像を順に保存し、
該電子設備は所定形式に基づき、メモリ空間内に保存された走査画像を読み取って該表示モジュールに表示することを特徴とする、リアルタイム画像伝送とプレビューのシステム。
【請求項４】
請求項３記載のリアルタイム画像伝送とプレビューのシステムにおいて、
該所定形式が画像圧縮形式と画像サイズを包含することを特徴とする、リアルタイム画像伝送とプレビューのシステム。
【請求項５】
請求項４記載のリアルタイム画像伝送とプレビューのシステムにおいて、
該電子設備はメモリ空間内の該画像サイズに符合し且つ保存順序が遅い走査画像を読み取り該表示モジュールに表示し、該スキャナーはパームトップ型スキャナーとされ並びに無線アダプタに接続されてＷｉＦｉ信号を送受し、該電子設備に無線モジュールが設けられてＷｉＦｉ信号を送受し、該所定形式と走査画像は該無線アダプタにより該無線モジュールに伝送されることを特徴とする、リアルタイム画像伝送とプレビューのシステム。
【請求項６】
リアルタイム画像伝送とプレビューの方法において、スキャナーと電子設備に用いられ、該スキャナーは一方向に複数回の線状走査を行う方式で書類を走査し並びに所定形式の画像となし、該電子設備は、表示モジュールが設けられ、この方法は、
まず、スキャナーが電子設備に所定形式を発送し、
続いて、電子設備が該所定形式を受信し、
その後、該スキャナーが特定回数の線状走査を完成した後、対応する走査画像を該電子設備に発送し、
さらに、該電子設備が該走査画像を受信して修正し、該走査画像を所定形式に符合させ、
最後に、表示モジュールが所定形式で走査画像を表示するステップを包含することを特徴とする、リアルタイム画像伝送とプレビューの方法。
【請求項７】
請求項６記載のリアルタイム画像伝送とプレビューの方法において、さらに、
該スキャナーが続けて特定回数の線状走査を行ない、且つ続けて対応する走査画像を発送し、
該電子設備が続けて該走査画像を受信し並びに受信順序により該走査画像を合併し、該電子設備が該合併した走査画像を修正し、該合併した走査画像を所定形式に符合させ、
該表示モジュールが該所定形式で合併した走査画像を表示するステップを包含することを特徴とする、リアルタイム画像伝送とプレビューの方法。
【請求項８】
請求項７記載のリアルタイム画像伝送とプレビューの方法において、さらに、
該電子設備が該所定形式を受信した後、メモリ空間を構築して該走査画像を順に保存し、
該電子設備が該所定形式に基づき該メモリ空間内に保存された走査画像を読み取り、該表示モジュールに表示するステップを包含することを特徴とする、リアルタイム画像伝送とプレビューの方法。
【請求項９】
請求項８記載のリアルタイム画像伝送とプレビューの方法において、該所定形式が画像圧縮形式と画像サイズを包含することを特徴とする、リアルタイム画像伝送とプレビューの方法。
【請求項１０】
請求項９記載のリアルタイム画像伝送とプレビューの方法において、
該電子設備はメモリ空間内の該画像サイズに符合し且つ保存順序が遅い走査画像を読み取り該表示モジュールに表示し、該スキャナーはパームトップ型スキャナーとされ並びに無線アダプタに接続されてＷｉＦｉ信号を送受し、該電子設備に無線モジュールが設けられてＷｉＦｉ信号を送受し、該所定形式と走査画像は該無線アダプタにより該無線モジュールに伝送されることを特徴とする、リアルタイム画像伝送とプレビューの方法。
【発明の詳細な説明】
【技術分野】
【０００１】
本発明は一種のリアルタイム画像伝送とプレビューのシステムに係り、特に一種のリアルタイム画像伝送とプレビューの方法に関する。
【背景技術】
【０００２】
図１を参照されたい。図１は既存の画像伝送とプレビューシステム７００を示し、それは、スキャナー７０１、コンピュータ設備７０２及びメモリカード７０３を包含する。スキャナー７０１はメモリカードアクセス装置７０１０を具え、コンピュータ設備７０２はコンピュータ７０２０とディスプレイ７０２１を包含する。コンピュータ７０２０はメモリカードアクセス装置７０２２を有する。
【０００３】
画像伝送とプレビューシステム７００が作動する時、使用者はまずメモリカード７０３をスキャナー７０１のメモリカードアクセス装置７０１０中に挿入しなければならない。スキャナー７０１の走査完了後に、走査された画像はメモリカードアクセス装置７０１０を介してメモリカード７０３内に保存される。その後、使用者はメモリカード７０３をスキャナー７０１のメモリカードアクセス装置７０１０より取り出し、さらにメモリカード７０３をコンピュータ７０２０のメモリカードアクセス装置７０２２内に挿入する。コンピュータ７０２０はメモリカードアクセス装置７０２２を介してメモリカード７０３内の走査画像を読み取り、並びに走査画像をディスプレイ７０２１に表示する。
【０００４】
この画像伝送とプレビューシステム７００は、スキャナー７０１が走査を完成するのを待って、さらにメモリカード７０３に走査画像を保存し、さらにコンピュータ７０２０によりメモリカード７０３内の走査画像を読み取り、走査画像をディスプレイ７０２１に表示しなければならない。このような方法はステップが複雑で、手間隙がかかり、且つ画像走査と同時にリアルタイムでプレビューできず、スキャナー７０１が走査を完成してからでなければ、画像が正確であるか否かを知ることができない。
【０００５】
図２はもう一種類の既存の画像伝送とプレビューシステム８００であり、それは、スキャナー８０１、コンピュータ設備８０２と短距離伝送ケーブル８０３を包含する。コンピュータ設備８０２はコンピュータ８０２０とディスプレイ８０２１を包含し、短距離伝送ケーブル８０３はスキャナー８０１とコンピュータ８０２０を連接する。一般的に、短距離伝送ケーブル８０３はＵＳＢケーブル或いはＲＳ−２３２ケーブルとされる。
【０００６】
画像伝送とプレビューシステム８００が作動する時、スキャナー８０１が走査完成した後、走査された画像は短距離伝送ケーブル８０３を介してコンピュータ８０２０に送られ、コンピュータ８０２０が走査画像を読み取った後に、画像をディスプレイ８０２１に表示する。
【０００７】
この画像伝送とプレビューシステム８００はメモリカードの抜き差しのステップを省略したものの、なおもスキャナー８０１が走査を完成するのを待って、走査画像を短距離伝送ケーブル８０３を介してコンピュータ８０２０に送り、最後にコンピュータ８０２０が走査画像を読み取りディスプレイ８０２１に表示する。このような方法はスキャナー８０１とコンピュータ設備８０２が短距離伝送ケーブル８０３で接続可能な範囲内に設置されなければならず、且つ画像走査とリアルタイムのプレビューは行えず、スキャナー８０１が走査を完成するのを待たなければ、画像が正確かどうかを知ることができない。
【０００８】
図３は別の一種の既存の画像伝送とプレビューシステム９００であり、それはスキャナー９０１、コンピュータ設備９０２と有線ネットワーク設備９０３を包含し、コンピュータ設備９０２はコンピュータ９０２０とディスプレイ９０２１を包含し、有線ネットワーク設備９０３はスキャナー９０１とコンピュータ９０２０を連接する。一般的に、有線ネットワーク設備９０３はＬＡＮ或いはインターネットとされる。
【０００９】
画像伝送とプレビューシステム９００が作動する時、スキャナー９０１が走査完成した後、走査された画像は有線ネットワーク設備９０３を介してコンピュータ９０２０に送られ、コンピュータ９０２０が走査画像を読み取った後に、画像をディスプレイ９０２１に表示する。
【００１０】
この画像伝送とプレビューシステム９００はスキャナー９０１とコンピュータ設備９０２の設置位置の制限を改善したものの、なおもスキャナー９０１が走査を完成するのを待って、走査画像を有線ネットワーク設備９０３を介してコンピュータ９０２０に送り、最後にコンピュータ９０２０が走査画像を読み取りディスプレイ９０２１に表示する。このような方法は画像走査とリアルタイムのプレビューが行えず、スキャナー９０１が走査を完成するのを待たなければ、画像が正確かどうかを知ることができない。
【発明の概要】
【発明が解決しようとする課題】
【００１１】
本発明の主要な目的は、上述の周知の技術に存在する欠点に対して、一種のリアルタイム画像伝送とプレビューのシステム及び方法を提供し、画像走査と同時にリアルタイムで画像プレビューができるようにすることにある。
【００１２】
本発明の次の目的は、上述のリアルタイム画像伝送とプレビューのシステムに組み合わされる方法を提供することにある。
【課題を解決するための手段】
【００１３】
上述の主要な目的を達成するため、本発明の提供するリアルタイム画像伝送とプレビューのシステムは、スキャナーと電子設備を包含し、該電子設備に表示モジュールが設けられる。
【００１４】
該スキャナーは一方向に複数回の線状走査を行う方式で書類を走査し並びに書類を走査して所定形式の画像となす。該スキャナーは該所定形式を発送し、その後、該スキャナーが特定回数の線状走査を完成した後に、対応する走査画像を発送できる。
【００１５】
該電子設備は該所定形式を受信し、その後、該電子設備は該走査画像を受信した後、該電子設備は該走査画像を修正し、該走査画像を所定形式に符合させる。該表示モジュールは該所定形式で該走査画像を表示する。
【００１６】
上述の次の目的を達成するため、本発明の提供するリアルタイム画像伝送とプレビューの方法は以下のステップを包含する。
まず、スキャナーが電子設備に所定形式を発送する。
続いて、電子設備が該所定形式を受信する。
その後、該スキャナーが特定回数の線状走査を完成した後、対応する走査画像を該電子設備に発送する。
さらに、該電子設備が該走査画像を受信して修正し、該走査画像を所定形式に符合させる。
最後に、表示モジュールが所定形式で走査画像を表示する。
【発明の効果】
【００１７】
本発明のリアルタイム画像伝送とプレビューのシステム及び方法は走査画像形式が設定された状況で、スキャナーが毎回特定回数の線状走査を完成した後に、走査画像を電子設備に伝送し、電子設備が該走査画像をリアルタイムで受信し並びに設定された走査画像形式により該走査画像をリアルタイムで表示し、リアルタイム画像伝送とプレビューの機能を達成する。
【図面の簡単な説明】
【００１８】
【図１】一種の既存の画像伝送とプレビューシステムの表示図である。
【図２】別の一種の既存の画像伝送とプレビューシステムの表示図である。
【図３】さらに別の一種の既存の画像伝送とプレビューシステムの表示図である。
【図４】本発明のリアルタイム画像伝送とプレビューのシステムの表示図である。
【図５】本発明のリアルタイム画像伝送とプレビューのシステムの機能ブロック図である。
【図６】本発明のリアルタイム画像伝送とプレビューの方法のフローチャートである。
【図７】本発明のリアルタイム画像伝送とプレビューの方法のパケット表示図である。
【図８】本発明のリアルタイム画像伝送方法のフローチャートである。
【図９】本発明のリアルタイム画像プレビュー方法のフローチャートである。
【発明を実施するための形態】
【００１９】
本発明の技術内容、構造特徴、達成する目的を詳細に説明するため、以下に実施例を挙げ並びに図面を組み合わせて説明する。
【００２０】
図４と図５に示されるように、本発明のリアルタイム画像伝送とプレビューのシステム１００は無線ネットワーク中、例えばＷｉＦｉネットワークにおいて使用される。本発明のリアルタイム画像伝送とプレビューのシステム１００は、スキャナーと無線設備を包含し、無線設備はデスクトップ型コンピュータ２、携帯電話３、ノートブック形コンピュータ４及び電子ブック５等を包含する。
【００２１】
当業者がさらに本発明を了解できるように、本発明の実施例中では、スキャナーはパームトップ型スキャナー１とされ得て、無線設備は電子ブック５とされ得る。パームトップ型スキャナー１と電子ブック５はＷｉＦｉネットワークで相互に接続される。具体的に実施される時は、無線機能を有する任意の電子設備が電子ブック５に置き換えられ得る。
【００２２】
パームトップ型スキャナー１は走査モジュール１０、第１プロセッサー１１と第１メモリ１２を包含する。パームトップ型スキャナー１は無線アダプタ１３に接続され、これにより無線信号でデータを送受信できる。
【００２３】
電子ブック５は表示モジュール５０、第２プロセッサー５１、第２メモリ５２及び無線モジュール５３を包含する。
【００２４】
走査モジュール１０は一方向に沿って複数回、線状走査を行う方式で書類を走査し、第１プロセッサー１１がパームトップ型スキャナー１の動作を制御し、第１メモリ１２はパームトップ型スキャナー１の動作データと走査した画像データを保存する。
【００２５】
無線モジュール５３は画像データを受信し、第２メモリ５２が受信した画像データを保存し、第２プロセッサー５１は電子ブック５の動作を制御し、表示モジュール５０が受信した画像を表示する。
【００２６】
具体的な実施の時には、無線アダプタ１３はＵＳＢ無線アダプタとされ得て、ＵＳＢ信号をＷｉＦｉ信号に変換し、電子ブック５の無線モジュール５３はＷｉＦｉモジュールとされ得る。
【００２７】
リアルタイム画像伝送とプレビューのシステム１００が作動する時、パームトップ型スキャナー１の第１プロセッサー１１が走査モジュール１０を制御して、一方向に沿って複数回の線状走査方式で書類を走査させる。走査モジュール１０は一度に書類の一部分を走査でき、走査モジュール１０は複数回の走査を行うことで、全体の書類を走査できる。
【００２８】
走査モジュール１０が一回の線状走査を実行した後、第１プロセッサー１１が走査した一部の画像を第１メモリ１２に保存し、並びに無線アダプタ１３により一部の画像を電子ブック５の無線モジュール５３に伝送する。
【００２９】
第２プロセッサー５１は無線モジュール５３が部分画像を受信したことを検出すると、該部分画像を第２メモリ５２に保存する。その後、第２プロセッサー５１は該部分画像を読み取り並びに修正し、該部分画像を画像表示形式に符合させる。最後に、表示モジュール５０が修正を終えて画像表示形式に符合する部分画像を表示する。これにより、本発明のリアルタイム画像伝送とプレビューのシステム１００は、リアルタイム走査とリアルタイムプレビューの機能を達成する。
【００３０】
このほか、上述の作業を重複して実行する時、パームトップ型スキャナー１の走査モジュール１０が逐次走査を完成する時、電子ブック５の表示モジュール５０もそれに伴い完全な画像を逐次表示する。
【００３１】
図６から図９及び下の表１を参照されたい。図６は本発明のリアルタイム画像伝送とプレビューの方法６のフローチャートである。本発明のリアルタイム画像伝送とプレビューの方法６は、ソフトウエア方式で第１メモリ１２と第２メモリ５２内に記録され、該第１プロセッサー１１と第２プロセッサー５１がそれぞれ第１メモリ１２と第２メモリ５２を読み取り並びに該ソフトウエアを実行して、リアルタイム画像伝送とプレビューの方法６を実行する。
【００３２】
本発明のリアルタイム画像伝送とプレビューの方法６はパームトップ型スキャナー１に運用されるリアルタイム画像伝送方法６０と電子ブック５に運用されるリアルタイム画像プレビュー方法６５を包含する。
【００３３】
図８に示されるように、リアルタイム画像伝送方法６０は以下のステップを包含する。
【００３４】
ステップ６００：パームトップ型スキャナー１を起動後、第１プロセッサー１１が第１メモリ１２内のデータを読み取りパームトップ型スキャナー１の動作を制御し並びにリアルタイム画像伝送機能を起動する。パームトップ型スキャナー１が待機状態の時、第１プロセッサー１１は待機メッセージパケットを生成する。
【００３５】
図７と表１に示されるように、該待機メッセージパケットは三つのフィールドを具え、それぞれコードフィールド、レングスフィールド及びデータフィールドとされる。該待機メッセージパケットのコードフィールドには０Ｘ００が書き込まれ、レングスフィールドには０が書き込まれ、データフィールドにはデータは書き込まれておらず、この待機メッセージパケットはパームトップ型スキャナー１が待機状態にあることを示す。
【００３６】
ステップ６０１：第１プロセッサー１１が待機メッセージパケットを無線アダプタ１３に伝送し、並びに無線アダプタ１３によりＷｉＦｉ信号で該待機メッセージパケットが伝送される。
【００３７】
ステップ６０２：第１プロセッサー１１が走査モジュール１０が走査開始したか否かを判断し、走査モジュール１０が走査を開始していなければ、ステップ６００を重複して実行する。
【００３８】
ステップ６０３：走査モジュール１０が走査開始した場合は、第１プロセッサー１１は形式メッセージパケットを生成する。形式メッセージパケットのコードフィールドには０Ｘ０１が書き込まれ、レングスフィールドには１が書き込まれ、データフィールドには走査形式により対応する数値が書き込まれる。
【００３９】
本実施例では、走査形式は、カラー高解像度走査、カラー低解像度走査、グレースケール高解像度走査、グレースケール低解像度走査の４種類に分けられ、且つ画像圧縮形式は、ＪＰＥＧ圧縮技術を選択でき、画像サイズは長さ１０インチ、幅５インチを選択でき、上述の４種類の走査形式に照らして．、データフィールドには０、１、２或いは３の４種類の数値が書き込まれ得る。
【００４０】
この形式メッセージパケットは画像を走査してどの形式とするかを指示する。具体的に実施する時は、画像圧縮形式と画像サイズはその他の広く使用されている形式とされてもよい。
【００４１】
ステップ６０４：第１プロセッサー１１が該形式メッセージパケットを無線アダプタ１３に伝送し、並びに無線アダプタ１３が該形式メッセージパケットを発送する。
【００４２】
ステップ６０５：第１プロセッサー１１が走査プロセスが中断されたか否かを判断する。具体的な実施時には、使用者はパームトップ型スキャナー１のケーシング上の押しボタン１４を押して走査を中断でき、或いは、第１プロセッサー１１がパームトップ型スキャナー１に異常が発生したことを検出した時も、走査が中断され得る。
【００４３】
ステップ６０６：走査が中断される場合、第１プロセッサー１１が中断メッセージパケットを生成し、該中断メッセージパケットのコードフィールドには０Ｘ４０が書き込まれ、レングスフィールドには０が書き込まれ、データフィールドにはデータは書き込まれず、この中断メッセージパケットはパームトップ型スキャナー１が走査中断状態にあることを示す。
【００４４】
ステップ６０７：第１プロセッサー１１が中断メッセージパケットを無線アダプタ１３に伝送し、並びに無線アダプタ１３が中断メッセージパケットを発送する。その後、重複してステップ６００を実行する。
【００４５】
ステップ６０８：走査が継続されるならば、走査モジュール１０は線状走査方式で逐次部分書類を走査する。
【００４６】
ステップ６０９：第１プロセッサー１１が走査した画像のビット数を計算し並びに画像パケットを生成し、該画像パケットのコードフィールドには０Ｘ０２が書き込まれる。レングスフィールドには走査画像のビット数が書き込まれる。例えば、走査画像のビット数が２５６バイトである時、レングスフィールドには２５６が書き込まれる。データフィールドは走査で取得された部分画像が書き込まれる。
【００４７】
ステップ６１０：第１プロセッサー１１が画像パケットを無線アダプタ１３に伝送し、並びに無線アダプタ１３により該画像パケットが発送される。
【００４８】
ステップ６１１：第１プロセッサー１１が走査が完成したか否かを判断する。もし走査が未完成であれば、重複してステップ６０５を実行する。
【００４９】
ステップ６１２：もし走査が完成すれば、第１プロセッサー１１が完成メッセージパケットを生成する。該完成メッセージパケットのコードフィールドには０ＸＦＦが書き込まれる。レングスフィールドには該走査形式のファイルヘッドビット数が書き込まれ、例えば、走査形式のファイルビットが５バイトであれば、レングスフィールドには５が書き込まれる。データフィールドには該走査形式のファイルヘッドデータが書き込まれる。
【００５０】
具体的に実施される時は、ステップ６１２を完成した後に、重複してステップ６００が実行されて、連続してリアルタイム画像伝送機能が実行される。
【表１】
2012090178.tif 000003
【００５１】
図９を参照されたい。リアルタイム画像プレビュー方法６５は以下のステップを包含する。
【００５２】
ステップ６５０：電子ブック５を起動後、第２プロセッサー５１が第２メモリ５２内のデータを読み取り、電子ブック５の動作を制御し並びにリアルタイム画像プレビュー機能を起動し、第２プロセッサー５１は無線モジュール５３を制御してパームトップ型スキャナー１の発送したパケットを受信する。
【００５３】
ステップ６５１：第２プロセッサー５１がパケット内のコードフィールドを読み取る。
【００５４】
ステップ６５２：第２プロセッサー５１が該コードフィールドを判断する。該コードフィールドが０Ｘ００であれば、パームトップ型スキャナー１が待機状態にあることを示す。この時、重複してステップ６５０を実行する。
【００５５】
ステップ６５３：該コードフィールドが０Ｘ０１であれば、パームトップ型スキャナー１が走査プロセスを開始したことを示す。このとき、第２プロセッサー５１はパケット内のデータフィールドを読み取る。
【００５６】
ステップ６５４：第２プロセッサー５１がデータフィールド内の数値を判断する。第２プロセッサー５１はデータフィールド内の数値を判断することで走査画像の形式を知ることができ、並びにその画像形式を記録する。
【００５７】
ステップ６５５：第２プロセッサー５１が該データフィールド内の数値に基づきメモリ空間を構築する。すなわち、該第２プロセッサー５１が該画像形式に基づき該画像形式ビット数に符合するメモリ空間を構築する。
【００５８】
ステップ６５６：第２プロセッサー５１が無線モジュール５３を制御してパームトップ型スキャナー１の発送したパケットを受信する。
【００５９】
ステップ６５７：第２プロセッサー５１がパケット内のコードフィールドを読み取る。
【００６０】
ステップ６５８：第２プロセッサー５１が該コードフィールドを判断する。該コードフィールドが０Ｘ４０であれば、パームトップ型スキャナー１が走査中断状態にあることを示す。このとき、重複してステップ６５０を実行する。
【００６１】
ステップ６５９：該コードフィールドが０Ｘ０２であれば、このパケットは画像パケットであることを示す。第２プロセッサー５１はパケット内のレングスフィールドとデータフィールドを読み取り、並びに画像データをメモリ空間に保存する。
【００６２】
ステップ６６０：第２プロセッサー５１がメモリ空間内に保存された画像データを読み取る。具体的に実施する時は、該第２プロセッサー５１が該画像の形式に基づいて該画像形式のビット数に符合するメモリ空間を構築せず、固定容量のメモリ空間を利用して画像データを保存する時は、第２プロセッサー５１は画像形式のビット数に基づいて固定容量のメモリ空間内の該ビット数に符合する最新画像データを読み取る。
【００６３】
例えば、固定容量のメモリ空間に長さ２０インチ、幅８．５インチの画像が保存可能であり、走査画像の画像形式が長さ１０インチ、幅８．５インチであれば、第２プロセッサー５１は最も遅く書き込まれた長さ１０インチ、幅８．５インチの画像を読み取り、並びに画像内に終了コードを追加して画像を表示可能とする。
【００６４】
具体的に実施する時は、走査画像の画像形式はＪＰＥＧ形式とされ得て、第２プロセッサー５１が最も遅く書き込まれた長さ１０インチ、幅８．５インチの画像を読み取った後、画像中にＦＦＤ９の終了コードを加えてＪＰＥＧ形式に符合する画像となす。
【００６５】
ステップ６６１：第２プロセッサー５１が表示モジュール５０を駆動して最新の画像を表示する。
【００６６】
ステップ６６２：第２プロセッサー５１が無線モジュール５３を制御してパームトップ型スキャナー１の発送したパケットを受信する。
【００６７】
ステップ６６３：第２プロセッサー５１がパケット内のコードフィールドを読み取る。
【００６８】
ステップ６６４：第２プロセッサー５１が該コードフィールドが０ＸＦＦであるか否かを判断する。該コードフィールドが０ＸＦＦでなければ、重複してステップ６５８を実行する。
【００６９】
ステップ６６５：該コードフィールドが０ＸＦＦであれば、パームトップ型スキャナー１が走査完成したことを示し、すなわち、画像伝送がすでに完成したことを示す。このとき、第２プロセッサー５１はレングスフィールドとデータフィールドを読み取る。
【００７０】
ステップ６６６：第２プロセッサー５１がデータフィールド内のファイルヘッドデータを画像中に加え、形式に符合する完全画像を形成し、その後、第２プロセッサー５１は該画像を単一画像ファイルとして、例えばＪＰＥＧファイルとして保存する。その後、リアルタイム画像プレビューは完成する。
【００７１】
具体的実施時には、ステップ６６６の後に重複してステップ６５０を実行することで、リアルタイム画像プレビュー機能を連続実行できる。
【００７２】
総合すると、本発明のリアルタイム画像伝送とプレビューのシステム及び方法は、無線ネットワーク中に運用可能であり、予め走査画像形式を設定する状況下で、パームトップ型スキャナー１に一次現状走査を完成するごとに、部分画像を電子ブック５に発送させ、電子ブック５がリアルタイムに該部分画像を受信し並びに予め設定した走査画像形式によりリアルタイムで該部分画像を表示し、リアルタイム画像走査とリアルタイム画像プレビューの機能を達成する。
【符号の説明】
【００７３】
１  パームトップ型スキャナー            １０  走査モジュール
１１  第１プロセッサー                  １２  第１メモリ
１３  無線アダプタ                      １４  押しボタン
２  デスクトップ型コンピュータ          ３  携帯電話
４  ノートブック型コンピュータ          ５  電子ブック
５０  表示モジュール                    ５１  第２プロセッサー
５２  第２メモリ                        ５３  無線モジュール
【図１】
2012090178.tif 000004
【図２】
2012090178.tif 000005
【図３】
2012090178.tif 000006
【図４】
2012090178.tif 000007
【図５】
2012090178.tif 000008
【図６】
2012090178.tif 000009
【図７】
2012090178.tif 000010
【図８】
2012090178.tif 000011
【図９】
2012090178.tif 000012